(57)【特許請求の範囲】
【請求項１】
互いに連結・分離される二つの部分の一方に取り付けられたボタンともう一方に設けられたボタン穴とからなるボタン式掛け止め具であって、前記ボタンは柔軟性を有していて前記一方の部分に太ひもによって止め着けられており、且つ前記太ひもは前記ボタンの表面側にループを突出させて有している、ことを特徴とするボタン式掛け止め具。
【請求項２】
請求項１に記載したボタン式掛け止め具において、前記太ひもは前記ボタンの表裏両側に設けたずれ止めによって前記ボタンを挟み保持しており、前記ループが前記表面側のずれ止めから延出している、ことを特徴とするボタン式掛け止め具。
【請求項３】
前記ずれ止めが前記太ひもを結んで作った結び玉である請求項２に記載したボタン式掛け止め具。
【請求項４】
前記太ひもの前記ループから延びる二つの部分が前記ボタンに設けた二つの通し孔をそれぞれ挿通しており、前記ずれ止めが前記二つの部分を互いに縫い付けて作った縫着個所である請求項２に記載したボタン式掛け止め具。
【請求項５】
前記ボタンが柔軟性に加えて伸縮性および弾力性を有している請求項１または２に記載したボタン式掛け止め具。
【請求項６】
前記ループが指を挿通可能な大きさに形成されている請求項１または２に記載したボタン式掛け止め具。
【発明の詳細な説明】
【０００１】
【発明の属する技術分野】
本発明は衣類やかばんなどに用いるボタン式掛け止め具、詳しくは指の動作が不自由な人が容易に掛け外しすることができるボタン式掛け止め具に関するものである。
【０００２】
【従来の技術】
例えば衣服の左右前身頃の一方に取り付けてもう一方のボタン穴に挿通することによって両前身頃を連結し或いは分離するボタンは、合成樹脂、金属、木またはこれらの組合わせなど硬質の材料で作られており、ボタン穴に対し斜めまたは直角の姿勢としてくぐらせることにより掛け外しすることは、日常的に繰り返し行なっている事柄である。
【０００３】
このようなボタンの掛け外しは衣服が柔軟な布や合成皮革などで作られていることを利用して、健常者であれば片手の指先の操作だけで簡単に行なうことができる。しかしながら、ボタンとボタン穴の位置を合わせるとともにボタンを挿通可能な姿勢とすること、およびこのことに続いて位置と姿勢を殆んど変えずに挿通すること、という手順は指のかなりこまかい動きを必要とし、疾病や事故またはそれらの後遺症などのため指の動作が不自由な人にとってはきわめて厄介であり、殊に着衣の際に左右前身頃を合わせてから最初のボタン掛けをするのが困難である。
【０００４】
【発明が解決しようとする課題】
本発明は健常者にとってきわめて容易なボタンの掛け外しが、指の動作が不自由な人には面倒で困難である、という前記課題を解決するためになされたものであって、指の動作が不自由な人がきわめて簡単且つ容易にボタン穴をくぐらせて掛け外しをすることができ、加えてボタンおよびボタン穴が布などの柔軟材料に限らず硬質材料に設けられていても掛け外しが可能なボタン式掛け止め具を提供することを目的とする。
【０００５】
【課題を解決するための手段】
本発明は互いに連結・分離させる二つの部分の一方に取り付けられたボタンともう一方に設けられたボタン穴とからなるものがもっている前記課題を解決するために、ボタンが柔軟性を有しているとともに一方の部分に太ひもによって止め着けられており、且つ太ひもはボタンの表面側にループを突出させて有しているものとした。
【０００６】
ボタンを掛けるときはループをボタン穴に挿通して引張ることにより、ボタンが変形してボタン穴をくぐり抜ける。また、ボタンを外すときはボタン穴を設けた部分を引張ることにより、ボタンが前記と反対側へ変形してボタン穴をくぐり抜け、続いてループがボタン穴を通り抜ける。このとき、一方または両方の部分を上から手で押えることによってボタン穴を容易にくぐらせることができる。そして、ループやボタン穴を設けた部分を引張ること、一方または両方の部分を押えることは指のこまかい動作を必要としないので、指の動作が不自由な人でも簡単且つ容易に掛け外しできるものとする、という目的が達成される。
【０００７】
また、ループは太ひもであるために指を引掛けて引張っても強く食込んで苦痛を与える、ということがなく、且つボタンの表裏両側にずれ止めを作って大きくずれ動かないようにすることにより、ボタン穴を確実にくぐらせることができる。更に、ボタンが自在に変形してボタン穴をくぐり抜けるものであるため、ボタンやボタン穴が硬質の部分に設けられていても掛け外しをすることができる。
【０００８】
【発明の実施の形態】
本発明を衣服の掛け止めに適用した実施の形態を図面に基いて説明すると、図１，図２を参照して衣服の一方の前身頃Ａにボタン１が取り付けられ、もう一方の前身頃Ｂにボタン穴１１が設けられている。ボタン１は柔軟材料で楕円形乃至小判形の平板に作られており、中心部に二個の通し穴２を有している。
【０００９】
ボタン１を前身頃Ａに取り付けている太ひも４は柔軟で可撓性に富んでいるとともに、指をかけて強く引張っても指に食込んで苦痛を与えない程度の太さをもっている。そして、この太ひも４を二つ折りしてそれより延びる二つの部分の折り個所から適宜に離れた個所に結び玉５を作り、更にそれより延びる部分を通し孔２にそれぞれ表側から挿通して裏側で再び結び玉６を作ることによって、ボタン１を二つの結び玉５，６によってずれ動かないように挟み保持させ、更に裏側の結び玉６から延びる部分を前身頃Ａに刺し通し、力布８を当てて前身頃Ａの裏面に重ね、これらを縫着することによってボタン１が前身頃Ａに取り付けられている。表側の結び玉５から延出している二つ折り部分はループ７を形成している。
【００１０】
このような本実施の形態のボタン１を掛けるときは、先ず図３（Ａ）に示すようにループ７をボタン穴１１に挿通させる。次にループ７に指を引掛けるかまたはこれを摘み持って引張るとともに前身頃Ｂを前身頃Ａに押し付けるようにすると、図３（Ｂ）に示すように、結び玉５がボタン穴１１を通過したときボタン１がボタン穴１１を押し拡げながら裏側へ湾曲変形してくぐり、完全にくぐり抜けたとき原形状に復元して図３（Ｃ）に示すように前身頃Ｂの表側に重なって両前身頃Ａ，Ｂを重ね合わせ連結した状態とする。前方へ突出したループ７は柔軟且つ可撓であるため危険性がなく、またその組織や色彩によっては装飾効果をもたらす。
【００１１】
ボタン１を外すときは、ボタン穴１１側の前身頃Ｂをボタン１側の前身頃Ａから離す方向へ引張るものであり、必要により前身頃Ａを引張られないように押えて前身頃Ｂを引張ると、図４（Ａ）に示すようにボタン１がボタン穴１１を押し拡げながら表側へ湾曲変形してくぐり、完全にくぐり抜けたとき図４（Ｂ）に示すように原形状に復元してループ７がボタン穴１１に挿通されている状態となる。これより更に前身頃Ｂを引張ると、ループ７がボタン穴１１から抜け出して二つの前身頃Ａ，Ｂは完全に分離されることとなる。
【００１２】
このように、本実施の形態によると柔軟材料で作られているボタン１が変形してボタン穴をくぐり抜けることによって掛け外しされるものであるため、ボタン穴１１を設けた部分が硬質材料で作られているもの、およびボタン１とボタン穴１１を設けた二つの部分がともに硬質材料で作られているものについても掛け外しをすることができる。この場合、ボタン穴１１は押し拡げることができないので、結び玉５，６の最大径よりも少し大きい幅に作ることが必要である。
【００１３】
ボタン１は皮革、軟質合成樹脂、合成樹脂の微細発泡体などの柔軟材料で好みの形状、大きさに作ることができるが、軟質合成樹脂発泡体のように伸縮性、弾力性を有する柔軟材料で作ると、ボタン穴１１を更に容易にくぐり抜けることができるので掛け外しが簡単になるばかりか、ボタン穴１１との寸法関係を厳密にしなくてもくぐり抜けさせることができるのでボタン１の製造とボタン穴１１の形成を容易なものとする、という利点がある。
【００１４】
太ひも４は天然または人造繊維で作った綾織コード、組みひも、綿ロープなど、指を掛けて強く引張ったとき指に食込んで苦痛を与えることがない太さをもつものが用いられるが、圧縮性を有していて緩む心配のない強固な結び玉５，６を作ることができる綾織コードを用いるのが好適である。また、太ひも４はリボンのようなテープ状のものを用いることがあり、その場合は複数本を束ねて高強度のものとする、或いはループ７の部分を布、フエルトなどで被覆して感触を良好なものとする、ことができる。
【００１５】
尚、ボタン１のずれ動きをなくすずれ止めは結び玉５，６に限るものではなく、太ひも４の二つの通し孔２を挿通した二つの部分のボタン１表裏両側をそれぞれ互いに縫い付けて作った縫着個所で形成してもよい。この場合は太ひも４は二つの通し孔２に挿通されるが、結び玉５，６とした場合は太ひも４の二つの部分を一つの通し孔に挿通することができる。
【００１６】
【発明の効果】
以上のように、ボタンを柔軟材料で作って太ひもによって衣服などに取り付けるとともに太ひもにループを設けた本発明によると、ボタンおよびボタン穴を設けた部分の一方または両方を押える、ループまたはボタン穴を設けた部分を引張る、という簡単な操作で指のこまかい動作を要することなくボタンをボタン穴にくぐらせることができ、指の動作が不自由な人でも簡単且つ容易にボタンの掛け外しをすることができるものである。
【図面の簡単な説明】
【図１】本発明の実施の形態を示す斜視図。
【図２】図１の拡大縦断面部分図。
【図３】ボタンを掛ける手順の説明図。
【図４】ボタンを外す手順の説明図。
【符号の説明】
１  ボタン，  ４  太ひも，  ５，６  結び玉，  ７  ループ，  １１  ボタン穴，
【図１】
0004699625.tif 000002
【図２】
0004699625.tif 000003
【図３】
0004699625.tif 000004
【図４】
0004699625.tif 000005